(57)【要約】【課題】カード型ＬＥＤモジュールの交換作業性および放熱性を向上することができるカード型ＬＥＤ光源用回動ソケットを提供する。【解決手段】ロアフレーム２３１がアッパーフレーム２３２の一端側を回動可能に軸支するとともに、アッパーフレーム２３２の係止突起２３２３と係合する係止部２３３を備える。アッパーフレーム２３２には、アーム部２３２０ｂの溝に挿入されてくるカード型ＬＥＤモジュール８をロアフレーム２３１側に押圧する押圧部２３２１を備える。【選択図】    図４
2004265619.tif 000002
【特許請求の範囲】
【請求項１】
基板上に発光部が形設されたカード型ＬＥＤモジュールを収納するカード型ＬＥＤ光源用ソケットであって、
ヒートシンクに配される第１フレームに対し、前記カード型ＬＥＤモジュールの発光部を臨む窓部を有する第２フレームが回動可能に軸支され、
前記第１フレームは、前記第２フレームが閉状態にあるときに当該第２フレームと直接的もしくは間接的に係止する係止部を備え、
前記第２フレームは、前記係止部によって前記第１フレームに係止されているときにカード型ＬＥＤモジュールの周縁部を前記第１フレーム側に押圧する押圧部を備える
ことを特徴とするカード型ＬＥＤ光源用回動ソケット。
【請求項２】
前記第２フレームは、前記第１フレームに軸支される基底部を備えるとともに、当該基底部の両端からそれぞれ延出されたアーム部を備えることにより、前記基底部と両アーム部とによって囲まれる領域に前記窓部が形成され、
前記各アーム部は、前記窓部側の辺において、前記カード型ＬＥＤモジュールの側端部をアーム部の長手方向に沿って案内する溝部を備え、
前記押圧部は、前記カード型ＬＥＤモジュールが前記溝部に案内されたときに当該モジュールの端部を前記第１フレーム側に押圧するように前記溝部内部に形設されている
ことを特徴とする請求項１に記載のカード型ＬＥＤ光源用回動ソケット。
【請求項３】
前記第１フレームは、前記第２フレームが前記係止部によって係止されたときに、収納されたカード型ＬＥＤモジュールと対向する領域に開口部を有している
ことを特徴とする請求項１または２に記載のカード型ＬＥＤ光源用回動ソケット。
【請求項４】
前記係止部は、前記第１フレームにおいて、前記第２フレームが閉状態のときに前記アーム部の長手方向にスライド可能に配されたスライド部を備え、前記スライド部がスライドされたときに前記アーム部とアーム部との間に収納された前記カード型ＬＥＤモジュールの端部に係止され、前記第２フレームを前記カード型ＬＥＤモジュールを介して間接的に係止する
ことを特徴とする請求項２または３に記載のカード型ＬＥＤ光源用回動ソケット。
【請求項５】
前記係止部は、ロックレバーと連動する前記第２フレームに回動可能に軸支された係止突起と係止する被係止突起、もしくはロックレバーと連動して前記第１フレームに回動可能に軸支され、前記第２フレームに形設された被係止突起と係止する係止突起を備え、前記ロックレバーの押下によって前記係止突起と被係止突起との係止が開放される
ことを特徴とする請求項２または３に記載のカード型ＬＥＤ光源用回動ソケット。
【請求項６】
前記第１フレームは、前記カード型ＬＥＤモジュールの位置決めを行う位置決め突起を備え、前記第２フレームは、前記窓部周縁に前記押圧部を備え、前記カード型ＬＥＤモジュールは、前記位置決め突起によって位置決めされるとともに前記第２フレームが前記係止部によって第１フレームに係止されたときに第１フレームと第２フレームとに狭持されて収納される
ことを特徴とする請求項１に記載のカード型ＬＥＤ光源用回動ソケット。
【請求項７】
前記第１フレームは、前記位置決め突起によって囲まれる領域に開口部が設けられていることを特徴とする請求項６に記載のカード型ＬＥＤ光源用回動ソケット。
【請求項８】
前記押圧部は、前記第２フレームの一部を切り欠き、折り曲げて一体的に形成されていることを特徴とする請求項１〜７のいずれかに記載のカード型ＬＥＤ光源用回動ソケット。
【請求項９】
前記係止部の回動軸は、前記係止突起と被係止突起との係止箇所の真上に配されることを特徴とする請求項５に記載のカード型ＬＥＤ光源用回動ソケット。
【請求項１０】
カード型ＬＥＤモジュールを用いる照明装置であって、
基台となる第１フレームがケースに固定され、カード型ＬＥＤモジュールの発光部を臨む窓部を有する第２フレームの一端側が前記第１フレームに回動可能に軸支され、前記第１フレームは、前記第２フレームが閉状態のときに当該第２フレームと直接的もしくは間接的に係止する係止部を有し、前記第２フレームもしくは前記第１フレームと第２フレームとの間にカード型ＬＥＤモジュールを収納するソケット
を備えることを特徴とする照明装置。
【発明の詳細な説明】
【０００１】
【発明の属する技術分野】
本発明は、金属基板上にＬＥＤベアチップを実装したカード型ＬＥＤモジュールに用いるソケットおよび照明装置に関する。
【０００２】
【従来の技術】
近年、照明装置の光源として用いるために、金属ベース基板上に多数のＬＥＤベアチップを実装したカード型ＬＥＤモジュール（なお、このカード型ＬＥＤモジュールとしては、スルーホール型のものは含まない。）の開発が行われている。このカード型ＬＥＤモジュールは、今後の研究開発によってＬＥＤベアチップの発光効率を一層高めたり、実装密度を向上したりすることによって高輝度な光源を得ることができると考えられている。
【０００３】
このようなカード型ＬＥＤモジュールを照明装置の光源として用いる場合には、図８に示すようにソケット９２０を用いて照明装置９に固定することが考えられる。
図８に示すように、照明装置９は、一般の白熱電球用のソケットにねじ込むタイプの口金９１と、カード型ＬＥＤモジュール８が取り付けられるケース９２とからなる。
【０００４】
ケース９２は、口金９１の取り付けられた面と対向する底面にカード型ＬＥＤモジュール８を保持するソケット９２０が取り付けられている。
ソケット９２０は、カード型ＬＥＤモジュール８の側部８０１と嵌合する係合溝９２１が形成されており、ユーザがカード型ＬＥＤモジュール８を取り付ける際には、その側部８０１をソケット９２０の係合溝９２１に挿入し、さらにケース９２の周縁部から中心に向けてスライドさせる。照明装置は、光源を中央に配することが望まれるので、上記ソケットによって、光源となるカード型ＬＥＤモジュール８を照明装置の中央に配することができる。
【０００５】
なお、請求項に係る発明と関連性を有する技術の蓄積がなく、記載すべき先行技術文献情報はない。
【０００６】
【発明が解決しようとする課題】
ところで、カード型ＬＥＤモジュールは、照明用として輝度を確保するために比較的大電流が流されるので、発熱量が非常に大きく、照明以外として用いる場合に比べ寿命が短くなりやすい。そのため、ソケットにおいても、カード型ＬＥＤモジュールの放熱性を向上することや、寿命時における交換作業を容易にすることが求められている。
【０００７】
しかしながら、上記のようなソケット９２０を用いる場合においては、放熱性が依然不十分と考えられ、一層の放熱性向上が求められている。さらに、寿命によってカード型ＬＥＤモジュール８を交換する際には、ユーザにとって交換作業が困難となる場合があると考えられる。例えば、カード型ＬＥＤモジュール８を取り外す際には、ユーザが係合溝９２１に沿ってカード型ＬＥＤモジュール８をケース９２の中心から周縁までスライドさせる必要があり、このようにスライド距離が長くなると、係合溝９２１が光源部からケース９２の端部まで続くため照明装置の外観を損ねる可能性があるとともに、側部８０１が係合溝９２１と引っかかりを生じたりして交換作業におけるユーザの負担を増大させる可能性がある。
【０００８】
ここで、交換作業を容易にするため、ソケット９２０のスライド距離を短くしたものをケース９２の底面に突出して載置した状態に取り付けることもできると考えられる。しかし、その場合には、ソケットがケースの中央に配されるため、カード型ＬＥＤモジュールの取り付けの際においてはカード型ＬＥＤモジュールを親指と人差し指等によりつまみながら作業することができず、ケース９２の底面に親指等で押し付けた状態でスライドさせながらソケットに挿入する必要があり、交換作業が困難となる。
【０００９】
このような場合、照明装置においては、ソケットがケースから突出するため、美観的な問題も生ずる。つまり、照明装置においては、ソケットをケースに形成した凹部に配置することが望ましく、このような凹部にソケットを配置したとしても、カード型ＬＥＤモジュールの交換作業を容易にすることができるものが望まれている。
【００１０】
本発明は、上記課題に鑑みて、実使用に適したカード型ＬＥＤモジュールを光源とするカード型ＬＥＤ光源用ソケットおよび照明装置を提供することを目的とする。
【００１１】
【課題を解決するための手段】
上記課題を解決するために、本発明に係るカード型ＬＥＤ光源用回動ソケットは、基板上に発光部が形設されたカード型ＬＥＤモジュールを収納するカード型ＬＥＤ光源用ソケットであって、ヒートシンクに配される第１フレームに対し、カード型ＬＥＤモジュールの発光部を臨む窓部を有する第２フレームが回動可能に軸支され、第１フレームは、第２フレームが閉状態にあるときに当該第２フレームと直接的もしくは間接的に係止する係止部を備え、第２フレームは、係止部によって第１フレームに係止されているときにカード型ＬＥＤモジュールの周縁部を第１フレーム側に押圧する押圧部を備えることを特徴とする。
【００１２】
これによれば、係止部によって第２フレームが第１フレームに係止されているときに、押圧部によってカード型ＬＥＤモジュールが第１フレーム側に押圧されるので、カード型ＬＥＤモジュールの発する熱を効率よく第１フレームもしくはヒートシンクに放熱することができる。また、係止部を開放すれば、第２フレームが回動するのでカード型ＬＥＤモジュールを容易に取り外すことが可能となり、その交換作業性が向上する。
【００１３】
また、具体的には、第２フレームが、第１フレームに軸支される基底部を備えるとともに、当該基底部の両端からそれぞれ延出されたアーム部を備えることにより、基底部と両アーム部とによって囲まれる領域に窓部が形成され、各アーム部が、窓部側の辺において、カード型ＬＥＤモジュールの側端部をアーム部の長手方向に沿って案内する溝部を備え、押圧部が、カード型ＬＥＤモジュールが溝部に案内されたときに当該カード型ＬＥＤモジュールの端部を第１フレーム側に押圧するように溝部内部に形設されているような構成をとることができる。このような回動タイプにすれば、従来考えられるソケットよりもカード型ＬＥＤモジュールのスライド距離を短くすることができ、ユーザにかける交換作業の負担を低減することができる。
【００１４】
また、第１フレームが、第２フレームが係止部によって係止されたときに、収納されたカード型ＬＥＤモジュールと対向する第１フレームの領域に開口部を有するようにすれば、カード型ＬＥＤモジュールとヒートシンクとの間に第１フレームを介在させる必要がなくなるので、より放熱効率を向上することができる。
また、係止部の具体的な構成としては、係止部が、第１フレームにおいて、第２フレームが閉状態にあるときにアーム部の長手方向にスライド可能に配されたスライド部を備え、スライド部がスライドされたときにアーム部とアーム部との間に収納されたカード型ＬＥＤモジュールの端部に係止され、第２フレームをカード型ＬＥＤモジュールを介して間接的に係止する構成とすることができる。
【００１５】
さらに、係止部は、ロックレバーと連動して第２フレームに回動可能に軸支された係止突起と係止する被係止突起、もしくはロックレバーと連動して第１フレームに回動可能に軸支され、第２フレームに形設された被係止突起と係止する係止突起を備え、第１フレームもしくは第２フレームのロックレバーの押下によって前記第２フレーム係止突起もしくは被係止突起との係止が開放されるように構成することもできる。
【００１６】
また、第１フレームは、カード型ＬＥＤモジュールの位置決めを行う位置決め突起を備え、第２フレームは、窓部周縁に押圧部を備え、カード型ＬＥＤモジュールは、位置決め突起によって位置決めされるとともに第２フレームが係止部によって第１フレームに係止されたときに第１フレームと第２フレームとに狭持されて収納される構成とすれば、カード型ＬＥＤモジュールの交換の際に、スライドさせて挿入する必要がなくなり、さらに交換作業性を向上することができる。ここで、例えば、窓部周縁の一辺に弾性体からなる給電端子を設け、残り三辺に押圧部を設けることによって、バランスよくカード型ＬＥＤモジュールを押圧することができる。
【００１７】
ここで、第１フレームが、位置決め突起によって囲まれる領域に開口部が設けられているようにすれば、カード型ＬＥＤモジュールが直接ヒートシンクと接するように構成することができるので、より放熱効率を向上することができる。ここで、位置決め突起にバネ性をもたせ、その高さをカード型ＬＥＤモジュールよりも小さく設定すれば、カード型ＬＥＤモジュールは、しっかりと固定されるとともに逆さに取り付けても重力によって落下することはない。
【００１８】
また、押圧部が、第２フレームの一部を切り欠き、折り曲げて一体的に形成されているようにすれば、ソケットの部品点数を抑制することができるので、コスト的なメリットも生じる。
また、係止部の回動軸を、係止突起と被係止突起との係止箇所の真上に配するようにすれば、間違って係止が開放される誤動作が起こりにくくなる。
【００１９】
さらに、本発明に係る照明装置は、カード型ＬＥＤモジュールを用いる照明装置であって、基台となる第１フレームがケースに固定され、カード型ＬＥＤモジュールの発光部を臨む窓部を有する第２フレームの一端側が第１フレームに回動可能に軸支され、第２フレームが閉状態のときに第２フレームと直接的もしくは間接的に係止自在に係合する係止部を第１フレームに有するカード型ＬＥＤ光源用回動ソケットを備えるようにすれば、ケースに凹部を設け、その凹部にソケットを配した場合、ソケットが凹部に隠れるので、美観的にもすぐれるとともに、ソケットが凹部に隠れていたとしてもカード型ＬＥＤモジュールの交換作業性を向上することができる。
【００２０】
【発明の実施の形態】
以下、本発明に係るカード型ＬＥＤモジュールを光源とするカード型ＬＥＤ光源用回動ソケット（以下、「ソケット」という。）を照明装置に適用した場合の一実施の形態について図面を参照しながら説明する。
〔第１の実施の形態〕
（１）照明装置の全体構成
図１は、本発明の第１の実施の形態に係る照明装置１の概略斜視図である。
【００２１】
同図に示すように、照明装置１は、口金１１と、ケース１２と、ソケット１３とを備え、光源となるカード型ＬＥＤモジュール８をソケット１３に交換可能に収納することができるようになっている。
口金１１は、一般的な白熱電球に用いられる規格と同じものであり、外部の商用電源から供給される交流電流をケース１２の電源回路（不図示）に供給する。
【００２２】
ケース１２は、円錐をその中心軸と直交する方向において切断したような側面視台形形状を有しており、その上面には口金１１が取り付けられているとともに、前記上面と対向する底面には、凹部１２１が形成されたヒートシンク１２２が設けられている。ケース１２には、口金１１から供給される交流電流を直流電流に変換してソケット１３に供給するための公知の電源回路（不図示）が収納されている。
【００２３】
ソケット１３は、ヒートシンク１２２の凹部１２１において、光源が中心部に配されるようにビス１２３によってビス止めされており、カード型ＬＥＤモジュール８を挿抜可能に保持するとともに当該カード型ＬＥＤモジュール８に電力を供給する。なお、凹部１２１は、その高さがソケット１３が凹部から飛び出さないような高さに設定され、さらにソケット１３を除く領域にコの字型のカバー１２１ａが挿入されるので、図８に示す照明装置よりも外観的にも優れている。
【００２４】
カード型ＬＥＤモジュール８は、ここでは、図２に示すように、アルミニウムをベースとする金属ベース基板８０（縦２８．５ｍｍ×横２３．５ｍｍ、厚み１．２ｍｍ）上に２５個（縦５個×横５個）のＬＥＤベアチップ８１がマトリックス状に配列されて樹脂封止され、かつ金属ベース基板８０表面端部にソケット１３から電力供給を受けるための給電パターン８２が形成されているものを用いる。このカード型ＬＥＤモジュール８の詳細な構成については、特願２００１−２４２８５７号に記載されている。なお、カード型ＬＥＤモジュール８としては、白色光以外の発光色であってもよく、ＬＥＤベアチップの配列パターンも種々のものを用いることができる。ただし、砲弾型のＬＥＤを用いるスルーホール型のものは含まない。
【００２５】
（２）ソケット１３の構成
次にソケット１３の構成について説明する。
図２は、第１の実施の形態に係るソケット１３の斜視図である。
同図に示すように、ソケット１３は、ヒートシンク１２２（図１）に取り付けるための基台となるロアフレーム１３１と、ロアフレーム１３１に対して回動軸１３２ａを中心に一端側が回動可能に固定され、かつバネ１３２ｂによって開く方向に付勢されたアッパーフレーム１３２と、ロアフレーム１３１に設けられ、アッパーフレーム１３２に収納されるカード型ＬＥＤモジュール８と係合し、アッパーフレーム１３２をロアフレーム１３１に対して閉じた状態に固定する係止部１３３を備える。
【００２６】
ロアフレーム１３１は、例えば、熱伝導性に優れる黄銅基板にニッケルメッキした金属からなる基板１３１０に、その一部が切り欠かれて折り曲げられた、係止部支持部１３１１およびアッパーフレーム支持部１３１２が立設されている。
基板１３１０の端部には、図１に示すヒートシンク１２２にビス止めするためのビス穴１３１０ａが穿設されている。
【００２７】
係止部支持部１３１１は、基板１３１０の対向する二辺のうちの一方に一対設けられ、係止部１３３をスライド可能に保持する。係止部支持部１３１１には、係止部１３３をスライド可能に保持するための案内孔１３１１ａがそれぞれ形成されており、当該案内孔１３１１ａに沿って係止部１３３を一定方向に往復可能に案内する。
【００２８】
アッパーフレーム支持部１３１２は、基板１３１０における係止部支持部１３１１と反対の辺に一対設けられ、アッパーフレーム１３２の一端側を回動可能に支持する。アッパーフレーム支持部１３１２には、図示しない孔がそれぞれ穿設されており、当該孔がアッパーフレーム１３２から突出された回動軸１３２ａを支える。
【００２９】
ここで、基板１３１０は、カード型ＬＥＤモジュール８が発する熱をヒートシンク１２２に伝熱して放熱させる機能を有し、その放熱効率を向上するためにカード型ＬＥＤモジュール８が装着されたときにこれと対向する領域に放熱シート１３１３が貼付されている。この放熱シート１３１３によってロアフレーム１３１とアッパーフレーム１３２との間に熱伝導率が非常に小さい空気を介する事がなくなるので、カード型ＬＥＤモジュールの放熱効率を向上することができる。
【００３０】
アッパーフレーム１３２は、カード型ＬＥＤモジュール８を保持するための保持部１３２０と、当該保持部１３２０におけるアーム部１３２０ｂにそれぞれ形設され、保持部１３２０に挿入されたカード型ＬＥＤモジュール８の端部を押圧して固定する押圧部１３２１と、保持部１３２０の基底部１３２０ａに形設され、挿入されたカード型ＬＥＤモジュール８に給電する給電部１３２２とを備える。
【００３１】
保持部１３２０は、基底部１３２０ａと、その両端からそれぞれ延出されたアーム部１３２０ｂとを備え、断面視コの字形状をしたフレームを平面視コの字形状となるように屈曲した形状を有し、これにより各アーム部１３２０ｂの対向する辺においては溝が長手方向に形成されている。ここで保持部１３２０における平面視コの字形状となるように切りかかれた部分、すなわち基底部１３２０ａと両アーム部１３２０ｂとによって囲まれる部分がＬＥＤモジュール８の発光部を臨む窓部となり、２本のアーム部１３２０ｂの溝にカード型ＬＥＤモジュール８の側端部が嵌合し、アーム部１３２０ｂが各ＬＥＤベアチップ８１の形成された発光部から発光する光を妨げないように構成されている。
【００３２】
図３は、カード型ＬＥＤモジュール８を挿入し、アッパーフレーム１３２を閉じた状態のソケット１３の側断面図である。
同図に示すように、基底部１３２０ａには、外部から供給される電力をカード型ＬＥＤモジュール８に供給する給電部１３２２が内設されている。
給電部１３２２は、カード型ＬＥＤモジュール８の給電パターン８２とそれぞれ当接する短冊状の複数の給電端子１３２２ａと、絶縁性樹脂からなり、基底部１３２０ａに各給電端子１３２２ａを列設した状態で固定する端子保持部１３２２ｂとを備える。
【００３３】
給電端子１３２２ａは、ばね性に優れるりん青銅からなり、一端側が基底部１３２０ａから外方へ向けて突設されて図示しない給電用配線と接続され、他端側が弓なりに屈曲されており、その他端側の弾性によって、カード型ＬＥＤモジュール８の給電パターン８２を基板１３１０側に押圧しながら給電可能に当接する。この押圧によって給電端子１３２２ａは給電パターン８２との電気的接続性が向上するとともに、カード型ＬＥＤモジュール８を放熱シート１３１３側に密着させることができるので、カード型ＬＥＤモジュール８の放熱性を向上することができる。
【００３４】
押圧部１３２１は、図２に示すように、アーム部１３２０ｂの一部をＴ字状に切り欠いて折り曲げて板バネ状にすることによって、アッパーフレーム１３２と一体的に形成されており、図３における破線で示すように、挿入されたカード型ＬＥＤモジュール８の周縁部をロアフレーム１３１側に押圧する。このように押圧部１３２１を一体的に形成することによって部品点数が少なくなるので、別体にする場合に比べコストを抑制することができる。ここで、押圧部１３２１がカード型ＬＥＤモジュール８を押圧する力としては、カード型ＬＥＤモジュール８が破損することなく、また人間の手で抜き差し可能な程度に０．０５〜１．００ｋｇ／ｃｍ２の範囲とすることが好ましい。
【００３５】
また、アーム部１３２０ｂの先端においても、その上面側が基底部１３２０ａ側に折り返されて、カード型ＬＥＤモジュール８を挿入しやすくするとともに挿入されたカード型ＬＥＤモジュール８を押圧する押圧部１３２０ｃが形成されている。
係止部１３３は、図２に示すように、滑り止めの孔が穿設されたスライド板１３３０と、スライド板１３３０の側部を折り曲げて形設した、案内孔１３１１ａと係合するスライド突起１３３１とを備える。
【００３６】
係止部１３３は、ユーザがスライド板１３３０を図３に示す矢印方向にスライドさせたときにスライド突起１３３１が案内孔１３１１ａに案内されてカード型ＬＥＤモジュール８の上面に係止されるようになっており、これによってアッパーフレーム１３２をカード型ＬＥＤモジュール８を介して間接的にロアフレーム１３１に係止することができる。
【００３７】
（３）カード型ＬＥＤモジュール８の取り付け方法
カード型ＬＥＤモジュール８をソケット１３に取り付ける方法について、図２および図３を用いて説明する。
図２に示すように、アッパーフレーム１３２が開状態、すなわちアーム部１３２０ｂが持ち上げられた状態において、ユーザは、カード型ＬＥＤモジュール８を各アーム部１３２０ｂの長手方向に形成された断面がコの字型の溝に係合するように挿入する。
【００３８】
一番奥、すなわち基底部１３２０ａに当接するまで挿入されると、カード型ＬＥＤモジュール８は、押圧部１３２０ｃ，１３２１によって両側面がロアフレーム１３１側に押圧されるとともに、図３に示すように給電端子１３２２ａによってカード型ＬＥＤモジュール８における給電パターン８２が押圧されながら電気的に接続される。
【００３９】
次に、ユーザがこのアーム部１３２０ｂを回動軸１３２ａを中心に回転させ、図３に示すようにロアフレーム１３１側に押圧する。
そして、図３の破線で示すように、スライド板１３３０を矢印方向に移動させ、カード型ＬＥＤモジュール８の端部に係止させる。ここで、スライド板１３３０は、その高さがカード型ＬＥＤモジュール８の高さと放熱シート１３１３の厚みとの和とほぼ同様の高さ、もしくはそれより若干低い高さに設定されており、スライド板１３３０がカード型ＬＥＤモジュール８をロアフレーム１３１側に押圧した状態を保持することができる。これにより、カード型ＬＥＤモジュール８の背面が放熱シート１３１３に押圧され、熱伝導率の非常に小さい空気を介することなく放熱シート１３１３と密着するので、放熱効率を高めることができる。
【００４０】
なお、カード型ＬＥＤモジュール８を取り外す際には、上記取り付け手順を逆に行えばよい。
このように、カード型ＬＥＤモジュール８を収納したアッパーフレーム１３２を係止部１３３によってロアフレーム１３１側に押圧した状態を維持しながら固定することができるので、カード型ＬＥＤモジュール８が発する熱を効率よく放熱することができる。また、カード型ＬＥＤモジュール８を交換する際においては、カード型ＬＥＤモジュール８をスライド移動させる距離を従来技術で述べたものよりも短くすることができるので、交換作業におけるユーザに強いる負担を軽減することができる。さらに、ソケット１３は、図１に示すように、ケース１２の凹部において埋没されて取り付けられるので、照明装置においては、カード型ＬＥＤモジュール８の交換作業を容易に行うことができるとともに、その美観を良好に保つことができる。
【００４１】
〔第２の実施の形態〕
次に、本発明に係るソケットの第２の実施の形態について説明する。
図４は、本第２の実施の形態に係るソケット２３の斜視図である。
なお、本第２の実施の形態においては、ソケット２３のロアフレーム２３１、アッパーフレーム２３２、および係止部２３３の構成が第１の実施の形態と異なるのみで照明装置などの構成は同じであるため、主にソケットの異なる部分について説明を行う。
【００４２】
同図に示すように、ロアフレーム２３１には、上記第１の実施の形態と異なり、基板２３１０の中央において、アッパーフレーム２３２よりも若干大きな開口部２３１２が設けられている。これにより、アッパーフレーム２３２をロアフレーム２３１側に閉じたときに、カード型ＬＥＤモジュール８とロアフレーム２３１が取り付けられるヒートシンクとの間に、ロアフレームが介在されなくなる。すなわち、図１のようにヒートシンク１２２にビス孔２３１０ａを介してロアフレーム２３１がビス止めされたときには、ヒートシンク１２２の上方にカード型ＬＥＤモジュール８の底面が露出するようになる。ただし、このままでは、アッパーフレーム２３２における基底部２３２０ａおよびアーム部２３２０ｂを構成する板材の厚み分だけカード型ＬＥＤモジュール８とヒートシンクとの間の距離が離れるので、その隙間に放熱シート（不図示）を介するようにすればよい。これによって、第１の実施の形態よりも基板２３１０の分だけカード型ＬＥＤモジュール８とソケット２３が取り付けられるヒートシンクとの間に介在する部材の数を減らすことができるので、カード型ＬＥＤモジュール８の熱をヒートシンク１２２に効率よく伝熱することができ、放熱効率を高めることができると考えられる。
【００４３】
係止部２３３は、ロアフレーム２３１における係止部支持部２３１１に固定される回動部２３３０と、係止部の両端から突設されアッパーフレーム２３３側にＬ字に屈曲されたアーム状の係止突起２３３１と、係止突起２３３１の屈曲と反対方向に屈曲して突出されたロックレバー２３３３とを備え、係止突起２３３１が、アッパーフレーム２３２におけるアーム部２３２０ｂの先端を一旦下方に折り曲げた後上方に折り曲げて形成された係止突起２３２３と係合するように構成されている。
【００４４】
回動部２３３０は、両側端に回動軸２３３２が突設されており、これがロアフレーム２３１における係止部支持部２３１１によって回動自在に保持されている。
また、回動部２３３０には、係止突起２３３１とアーム部２３２０ｂにおける係止突起２３２３との係止箇所が、側面から見たときに回動軸２３３２の中心軸ほぼ真上にくるように配されている。回動部２３３０は、図示しないバネ体によって係止突起２３３１の屈曲方向に回動するように弾発付勢されており、回動軸２３３２の中心軸の真上に係止箇所が来るようにすることによって、アッパーフレーム２３２が開こうとしてアーム部２３２０ｂにおける係止突起２３２３が押し上げられたとしても、回動部２３３０が回動しにくくなり、係止突起２３３１との係止が外れにくくなるため、より確実にロックすることができる。
【００４５】
カード型ＬＥＤモジュール８をソケット２３に取り付ける場合には、まず、カード型ＬＥＤモジュール８をアッパーフレーム２３２におけるアーム部２３２０ｂの溝にスライドさせて挿入する。このとき、上記第１の実施の形態と同様、アーム部２３２０ｂにおける押圧部２３２１がカード型ＬＥＤモジュール８の周縁をロアフレーム２３１側に押圧するとともに、給電端子２３２２ａによってカード型ＬＥＤモジュール８が電気的に接続される。
【００４６】
次に、上記第１の実施の形態と同様にアッパーフレーム２３２をロアフレーム２３１側に押し下げ、係止部２３３における係止突起２３３１と、アーム部２３２０ｂにおける係止突起２３２３とを係止させることによって、アッパーフレーム２３２とロアフレーム２３１とを直接係止させる。
ここで、アッパーフレーム２３２の係止突起２３２３による押し下げ作用により、弾発付勢された回動部２３３０の係止突起２３３１を回動された後元の位置に戻るので、ロアフレーム２３１における係止突起２３３１の下にアッパーフレーム２３２における係止突起２３２３が位置するようになる。これによって、係止突起２３３１が係止突起２３２３と係止するようになり、アッパーフレーム２３２がロアフレーム２３１と係止するようになる。
【００４７】
カード型ＬＥＤモジュール８を取り外すときには、ユーザがロックレバー２３３３を押し下げることによって、上記ロアフレーム２３１における係止突起２３３１が回動して係止突起２３２３との係止が外れる。これにより、バネ２３２ｂに弾発付勢されたアッパーフレーム２３２が立ち上がり一辺が開放されるため、カード型ＬＥＤモジュール８を抜き取ることができるようになる。
【００４８】
このような構成によっても、第１の実施の形態と同様、カード型ＬＥＤモジュール交換の際にユーザに強いる負担を軽減することができる。さらに、第１の実施の形態よりもカード型ＬＥＤモジュール８とヒートシンク側との間に介在させる部材を減らすことができるので、放熱性を一層向上させることができる。また、本第２の実施の形態にかかるソケットを使用した照明装置においても上記第１の実施の形態と同様の効果を得ることができる。
【００４９】
〔第３の実施の形態〕
上記第１および第２の実施の形態においては、カード型ＬＥＤモジュール８がアッパーフレーム１３２，２３２の溝に挿入されて固定されていたが、本第３の実施の形態においては、ソケットの構成において、ロアフレームとアッパーフレームとの間にカード型ＬＥＤモジュールを挟み込むことによって固定する点が異なっている。
【００５０】
図５は、本第３の実施の形態に係るソケット３３の斜視図である。
ソケット３３は、ロアフレーム３３１と、当該ロアフレーム３３１にその一端側が弾発付勢された状態で回動自在となるように固定されたアッパーフレーム３３２と、ロアフレーム３３１に回動自在に固定され、ロアフレーム３３１とアッパーフレーム３３２とを係止する係止部３３３とを備える。
【００５１】
ロアフレーム３３１は、熱伝導性に優れる黄銅にニッケルメッキを施した基板３３１０からなり、その一端側の一部が切り欠かれて立ち上げられて形成され、アッパーフレーム３３２を支持するアッパーフレーム支持部３３１２と、これと対向する辺の一部が切り欠かれて立ち上げられて形成された係止部支持部３３１１と、係止部支持部３３１１に回動可能に保持された係止部３３３を備える。
【００５２】
また、ロアフレーム３３１には、カード型ＬＥＤモジュール８の積載位置を位置決めするための複数の位置決め突起３３１３がフレームの一部が切り欠かれて折り曲げられて立設されている。この位置決め突起３３１３によって囲まれる領域にカード型ＬＥＤモジュール８が位置決めされて収納されるようになっている。
【００５３】
アッパーフレーム３３２は、強度に優れるステンレスからなり、中心にカード型ＬＥＤモジュール８のＬＥＤ実装部を臨む窓となる方形の開口部３３２ｃが穿設された角皿状の基板３３２０を有する。開口部３３２ｃの四辺のうち三辺には、基板３３２０をＴ字状に切り欠き内側に折り曲げて形成した押圧部３３２１がそれぞれ形成され、残りの辺、すなわち開口部３３２ｃにおける回動軸３３２ａ側の辺近傍には給電部３３２２が配されている。
【００５４】
押圧部３３２１は、板バネ状に屈曲されており、アッパーフレーム３３２がロアフレーム３３１に係止されたときにその弾性によってカード型ＬＥＤモジュール８の端部をロアフレーム３３１側に押圧するようになっている。
給電部３３２２は、第１の実施の形態の給電部１３２２と同様、端子保持部３３２２ａと複数の短冊状の給電端子３３２２ｂとからなり、図中では見えないが板バネ上に屈曲された給電端子３３２２ｂの弾性によって、アッパーフレーム３３２がロアフレーム３３１に係止されたときにカード型ＬＥＤモジュール８の給電端子と接触し、外部からの電力を供給できるようになっている。
【００５５】
また、基板３３２０においては、給電端子３３２２ａと対向する側の外周にロアフレーム３３１における係止部３３３の係止突起３３３１と係止する係止突起３３２３が突設されている。
係止部３３３は、係止部支持部３３１１によって回動可能に軸支された回動部３３３０と、回動部３３３０の一部を切り抜いてくの字に屈曲させて形成した係止突起３３３１と、回動部３３３０の側方に突設された回動軸３３３２と、回動部３３３０の両端から給電部３３２２が配されている方向に延出されたアーム部３３３３とを備える。
【００５６】
係止突起３３３１は、アッパーフレーム３３２を閉状態としたときにアッパーフレーム３３２における係止突起３３２３と係止させることによって、アッパーフレーム３３２をロアフレーム３３１と係止することができるようになる。
回動軸３３３２は、ロアフレーム３３１における係止部支持部３３１１に軸支されている。
【００５７】
アーム部３３３３は、回動部３３３０の回動にともなってその先端が上下するように構成されている。なお、このアーム部３３３３の回動を妨げないように、ロアフレーム３３１には切り欠き部３３１０ｂが形設されている。
図６は、カード型ＬＥＤモジュール８を装着するときのアーム部３３３３の動きを説明するためのソケット３３の一部概略側面図である。
【００５８】
図６（ａ）に示すように、アーム部３３３３は、回動部３３３０に対して９０°よりも広角となる角度で突設されており、カード型ＬＥＤモジュール８が装着されていない状態において、ユーザが係止部３３３を回動させてアーム部３３３３の先端が持ち上げられた状態にする。ここで、係止部３３３は、図示しないバネによって、アーム部３３３３の先端が上がる方向に付勢されている。
【００５９】
そこに、カード型ＬＥＤモジュール８を位置決め突起３３１３にあわせるように挿入すると、カード型ＬＥＤモジュール８の底面がアーム部３３３３と当接した後、図６（ｂ）に示すようにアーム部３３３３が押し下げられる一方、回動部３３３０が立ち上がる。ここで、アーム部３３３３は、基板３３１０における切り欠き部３３１０ｂを通して、図示しないヒートシンクと当接するため、それ以上回動しない。
【００６０】
次に、ユーザが係止突起３３３１を、基板３３２０の係止突起３３２３に押し下げて係止させると、ロアフレーム３３１とアッパーフレーム３３２とが係止するようになる。このとき、アーム部３３３３は、図示しないヒートシンクに押し付けられることになる。
カード型ＬＥＤモジュール８を取り外す際には、回動部３３３０を回動させることによってアーム部３３３３が持ち上がり、同時にカード型ＬＥＤモジュール８も位置決め突起３３１３から外れるように持ち上げられて取り出しやすくなる。
【００６１】
このような構成によれば、カード型ＬＥＤモジュール８を固定する際にスライドして挿入することが不要となり、引っかかり等の問題が生じにくくなる。
さらに、カード型ＬＥＤモジュール８が放熱シートよりも熱伝導性に優れるロアフレーム３３１に直接当接するように積載されるため、第１および第２の実施の形態に比べてさらに放熱性を向上することができる。
【００６２】
また、このようなソケットを図１のような照明装置に備える場合においては、実施の形態１と同様、美観を損ねることなく、放熱性および交換作業性を向上することができる。
〔第４の実施の形態〕
上記第３の実施の形態においては、カード型ＬＥＤモジュール８がロアフレーム３３１の上に積載されているようになっていたが、本第４の実施の形態においては、ロアフレームにカード型ＬＥＤモジュール８が嵌入されて位置決めされる開口部を設け、その開口部に位置決めされたカード型ＬＥＤモジュール８の背面がヒートシンクと直接接するように構成している点が異なる。また、係止部の構成も変更している。
【００６３】
図７は、本第４の実施の形態に係るソケット４３の斜視図である。
同図に示すように、ロアフレーム４３１においては、その基台４３１０の中央にカード型ＬＥＤモジュール８のＬＥＤ実装部を臨む窓となる方形の開口部４３１４が設けられている。なお、ここでは図示していないが、ロアフレーム４３１は、図１に示すような照明装置に対してそのヒートシンクにビス止めされる。
【００６４】
この開口部４３１４の周縁には、カード型ＬＥＤモジュール８の位置がずれないように固定する位置決め突起４３１３が複数立設されている。
また、基台４３１０には、その一部を切り欠いて立ち上がらせた係止部４３３１が、アッパーフレーム４３２における係合突起４３２３と係止するように形成されている。
【００６５】
カード型ＬＥＤモジュール８は、ロアフレーム４３１における開口部４３１４に嵌入されるとともに、位置決め突起４３１３によって水平方向にずれないように位置決めされる。これによって、カード型ＬＥＤモジュール８は、その背面側がヒートシンク（不図示）と直接接触するように配される。
アッパーフレーム４３２は、その一端側に突設された回動軸４３２ａがロアフレーム４３１におけるアッパーフレーム支持部４３１２によって回動可能に支持されており、その回動軸４３２ａ側に給電部４３２２が配されるとともに、給電部４３２２と対向する側に係止部４３３が配されている。
【００６６】
係止部４３３は、ロックレバー４３３０と、当該レバー４３３０と直交する方向に延出され、先端に係止つめを有する係合突起４３２３とを備え、アッパーフレーム４３２の開口部４３３２ｄからロックレバー４３３０を外方に突出させるとともに、係合突起４３２３をアッパーフレーム４３２内方に突出させるように図示しない回動軸によって軸支されている。なお、係止部４３３は、図示しないバネによって回動可能に弾発付勢されている。
【００６７】
ユーザは、カード型ＬＥＤモジュール８を取り付ける際に、開口部４３１４にカード型ＬＥＤモジュール８を挿入し、位置決め突起４３１３により位置決めを行う。そして、アッパーフレーム４３２を押し下げることによって、係合突起４３２３が係止部４３３１と係止する。このとき、カード型ＬＥＤモジュール８は、アッパーフレーム４３２における押圧部４３２１によってロアフレーム４３１側に押圧され、図示しないヒートシンクに直接押し当てられるので、ソケット４３は、第３の実施の形態にくらべてカード型ＬＥＤモジュール８の放熱効率をさらに向上することができる。
【００６８】
なお、カード型ＬＥＤモジュール８を取り外すときには、ユーザがロックレバー４３３０を押し下げることによって、係合突起４３２３が回動して係止部４３３１との係止が開放されるので、弾発付勢されたアッパーフレーム４３２が持ち上がり、カード型ＬＥＤモジュール８を取り外すことができる。
また、このようなソケットを図１のような照明装置に備える場合においては、実施の形態１と同様、美観を損ねることなく、放熱性および交換作業性を向上することができる。
【００６９】
（変形例）
上記各実施の形態のソケットに対して、カード型ＬＥＤモジュールが収納されたときに当該ＬＥＤが押下してその挿入を検知する検知器を設け、検知されたときのみに給電端子からの電力供給を行う構成とするようにしてもよい。このような検知器を設けることによって、カード型ＬＥＤモジュール交換の際にユーザが給電端子に触っても安全に作業することができる。
【００７０】
また、上記各実施の形態における係止部は、アッパーフレームをロアフレーム側に押圧した状態を維持しながら固定することができれば、アッパーフレームまたはロアフレームのどちらに設けるようにしてもよい。このような構成によっても本実施の形態と同様の効果を得ることができる。
【００７１】
【発明の効果】
以上説明してきたように、本発明に係るソケットによれば、アッパーフレームがロアフレームに回動可能に軸支され、ロアフレームには、アッパーフレームをロアフレームに直接的または間接的に係止する係止部が備えられており、アッパーフレームには、その係止時にカード型ＬＥＤモジュールをロアフレーム側に押圧する押圧部を備えられているので、カード型ＬＥＤモジュールが発する熱を効率よくヒートシンク側に伝熱して放熱することができるとともに、カード型ＬＥＤモジュールの交換作業性を向上することができる。
【００７２】
さらに、そのようなソケットを凹部に配した照明装置においては、外観を損ねることなく交換作業性を向上することができる。
【図面の簡単な説明】
【図１】照明装置の斜視図である。
【図２】第１の実施の形態に係るソケットの斜視図である。
【図３】上記ソケットの側断面図である。
【図４】第２の実施の形態に係るソケットの斜視図である。
【図５】第３の実施の形態に係るソケットの斜視図である。
【図６】第３の実施の形態に係るソケットの側面図である。
【図７】第４の実施の形態に係るソケットの斜視図である。
【図８】従来考えられる照明装置の斜視図である。
【符号の説明】
１    照明装置
８    カード型ＬＥＤモジュール
１１    口金
１２    ケース
１２１    凹部
１２２    ヒートシンク
１３１    ロアフレーム
１３２    アッパーフレーム
１３２ａ  回動軸
１３２ｂ  バネ
１３３    係止部
１３１０    基板
１３１１    係止部支持部
１３１１ａ  案内孔
１３２０ａ  基底部
１３２０ｂ  アーム部
１３２０ｃ  押圧部
１３２２    給電部
１３２２ａ  給電端子
１３２２ｂ  端子保持部
１３３０    スライド板
【図１】
2004265619.tif 000003
【図２】
2004265619.tif 000004
【図３】
2004265619.tif 000005
【図４】
2004265619.tif 000006
【図５】
2004265619.tif 000007
【図６】
2004265619.tif 000008
【図７】
2004265619.tif 000009
【図８】
2004265619.tif 000010